(57)【要約】【課題】  火災発生のとき、消防車が入れない場所や、消防車の到着に時間がかかる場所において、簡便的確に少くとも初期消火ができる簡易構造の消火装置を提供する。【解決手段】  上面を地面に現わす地中埋設の収納ケース２内に、少くとも初期消火用水が充填可能の貯水槽３と、自動駆動部つき消火ポンプユニット６を収納する共に、消火ポンプユニット６は収納ケース２内への下降収納と収納ケース２の上方への上昇セット自在の昇降機構７を備え、さらに、自然力利用の発電蓄電部を備え、前記消火用水による消火作業を可能に成す構造の消火装置が特徴である。【選択図】      図１
2005278894.tif 000002
【特許請求の範囲】
【請求項１】
上面を地面に現わす地中埋設の収納ケース内に、少くとも初期消火用水が充填可能の貯水槽と、自動駆動部つき消火ポンプユニットを収納する共に、該消火ポンプユニットは前記収納ケース内への下降収納と前記収納ケースの上方への上昇セット自在の昇降機構を備え、さらに、自然力利用の発電蓄電部を備え、前記消火用水による消火作業を可能に成す構造を特徴とする消火装置。
【請求項２】
昇降機構が手動操作機構である請求項１に記載の消火装置。
【請求項３】
消火ポンプユニットの消火ポンプのデリベリー側への消火剤注入手段を付設した請求項１または請求項２に記載の消火装置。
【発明の詳細な説明】
【技術分野】
【０００１】
本発明は、消防車が利用できない場所・消防車活動に時間がかかる消防車機能不良場所において、迅速有効な消火活動に用いる消火装置に関するものである。
【背景技術】
【０００２】
火災の本格消火は一般的に消防車によって行われ、その消防車用の消火用水を予め地上や地下の所定場所に設置した水槽に貯えて、消火水源を常に確保する防火水槽対策が広く普及している。
【発明の開示】
【発明が解決しようとする課題】
【０００３】
以上の従来技術の消火対策では、消防車が火災現場へ行けない道路事情の場所や、消防車の到着までに長時間要する場所（前記の消防車機能不良地域）または、防火水槽・水道消火栓が不存在にして消火水の迅速確保が困難な場所では、有効な初期消火・本格消火の実行が困難にして、火災被害の拡大をもたらすことがある。
【０００４】
本発明は、以上の背景技術の難点を解消する消火装置を提供するものである。
【課題を解決するための手段】
【０００５】
以上の技術課題を解決する本発明の消火装置は「上面を地面に現わす地中埋設の収納ケース内に、少くとも初期消火用水が充填可能の貯水槽と、自動駆動部つき消火ポンプユニットを収納する共に、該消火ポンプユニットは前記収納ケース内への下降収納と前記収納ケースの上方への上昇セット自在の昇降機構を備え、さらに、自然力利用の発電蓄電部を備え、前記消火用水による消火作業を可能に成す構造」が特徴である。
【０００６】
即ち、前記構成の本発明の消火装置は、少くとも初期消火用の消火水と消火水送出用消火ポンプをセットにして地下空洞に収納セットし「風雨による消火ポンプの機能劣化・汚損の防止」と「心なき者のいたずら防止」をして消火ポンプ機能の安定維持を図ると共に、火災発生の非常時には前記昇降機構によって消火ポンプを地上に上昇セットしたり、または、その地下収納の状態で、迅速かつ有効な消火放水を可能にして「少くとも有効な初期消火を図る簡易構造の消火装置」を提供する思想を特徴とするものである。なお、前記構成要件の「自然力利用の発電蓄電部」とは、少くとも当該消火装置の照明用電力と消火ポンプの操作パネル用の電源を確保するための「公知のソーラーパネルによる発電蓄電」または「公知の自然風力利用の発電蓄電」を意味する。
【０００７】
そして、前記構成の本発明の消火装置はその技術意図のさらなる向上を図る形態として「放出する消火水に必要に応じて消火剤を混入させる消火剤注入手段の付設形態」の態様を採択する。
【発明の効果】
【０００８】
以上の構成の本発明の消火装置は、地中収納の消火ポンプユニットを、前記の地下収納状態または地上に上昇セットして駆動させると直ちに消火水放出ができるので、極めて迅速にして的確有効な「少くとも初期消火」が可能にして、消防車が入れない場所や消防車の到着に時間を要する場所での火災消火に極めて有効に機能する。
【０００９】
そして、通常時の消火ポンプは地中収納形態であることから、外気・風雨による消火ポンプユニットの機能低下・汚損の防止と「いたずら者による破損・機能低下」を未然防止して消火装置機能を良好に安定維持し、火災発生の非常時に極めて迅速的確に対応できる。さらに、消火ポンプユニット・消火水槽は地中収納形態にして通常時には通行人の視界に入らないので周辺景観を損うおそれがない。そして、消火ポンプユニットのメンテナンス・エンジン給油等は前記の昇降機構によって地上にセットすることによって容易かつ的確にできる。
【００１０】
さらに、前記の自然力利用の発電蓄電機能を有するので、前記の昇降機構が手動機構にして、かつ、エンジン形態消火ポンプの態様のものは、電線引き込みの電気工事が無用になると共に、電源不存在の山間地等の設置や停電時の消火機能の確保ができる。そして、構造簡素にして操作が容易であることから、主婦でも火災発生のとき即対応可能にして、男子や消防手不在のケースでも迅速にして的確な消火作業ができる。以上の主たる作用効果がある。
【発明を実施するための最良の形態】
【００１１】
以下、本発明の好ましい実施例を説明する。
【実施例】
【００１２】
図１〜図３を参照して本発明１実施例の消火装置１を説明する。即ち、この消火装置１は電線引き込み無用の形態にして、上面を地上面と概ね同一面として地中に埋設する中空略立方体形の収納ケース２（この実施例の収納ケース２は強化プラスチック製）に、消火水を貯える貯水槽３と、昇降移動自在の箱体形態のポンプユニットケース４が収納セットされた地中埋設形態に構成されている。
【００１３】
そして、そのポンプユニットケース４は（図３参照）通常の遠心ポンプ等の小型の消火ポンプのポンプ本体１０と、駆動用ガソリンエンジン１１と、エンジン用バッテリー１２とガソリンタンク１３をセットにしてコンパクトに組合せた消火ポンプユニット６（以下、単にポンプユニット６という）を収納すると共に、エンジンの駆動操作用の操作盤５を備えている。なお、この実施例のポンプユニット６は図示Ｃのケース体に収納セットされており、そのケース体Ｃの上部に操作盤５が立設されている。
【００１４】
そして、（図１参照）このポンプユニットケース４の下側と収納ケース２の底面間には、下記に詳述する昇降機構７を備え、この昇降機構７の操作によって上昇移動させるとポンプユニット６の少くもと上部部分が、地上に現れて固定保持される地上セット姿勢にセットできる。
【００１５】
詳しくは、昇降機構７は交差角が可変自在のＸリンクを連鎖状にして長さ方向に伸縮自在にしたＸリンク連鎖体１５から成り、このＸリンク連鎖体１５の開脚状の最下端リンク１６が、収納ケース２の上面に立設した「操作ハンドル１７つき昇降操作部９」に連結されており、操作ハンドル１７の回転操作によってＸリンク連鎖体１５を上方へ伸長セットしたり下方へ縮小セットできる。
【００１６】
詳しくは、昇降操作部９の操作ハンドル１７は収納ケース２内に縦方向配設した操作ロッド１８と前記の最下端Ｘリンク１６のリンク幅開閉軸１９が連動歯車２０を介して連結されており、操作ハンドル１７の手動回転操作によって最下端Ｘリンク１６の開脚スパンＳを大にしてＸリンク連鎖体１５を上方へ伸長させて、ポンプユニットケース４を上昇してセットしたり、開脚スパンＳを小さくしてポンプユニットケース４を下降させて図１に示す収納ケース２内への下降収納セットが自在にできる構造に設定されている。
【００１７】
なお、貯水層３とポンプ本体１０の吸引口２１は伸縮自在管２３によって連結され前記のポンプユニットケース４の昇降に連動して伸縮し、貯水槽３とポンプ本体１０が常に正常な連結姿勢を維持する。
【００１８】
さらに、この実施例の消火装置１は収納ケース２の上面に立設した「公知のソーラーパネル８」を備え、このソーラーパネル８によって消火装置１の照明をする自然力活用の発電蓄電部を備え、消火装置１の電気配線が無用に構成されている。
【００１９】
そして、ポンプユニット６には消火剤タンク１４が付設され、ポンプ本体１０のデリベリー側に「ポンプ圧送またはポンプ本体１０による吐出圧送水の吸引作用」によって消火水へ必要な消火剤を混入させるように成っている。
【００２０】
なお、この実施例のものは「貯水槽３は内容積約３０００リットルのドラム缶形態にして、上水道による給水口２５または地下水汲み上げ給水口２６のいずれか、または、いずれもを設けた給水手段を有している。そして、ポンプユニット６は「概ね１．３メートル（高さ）×１．０メートル×０．９メートル」収納ケース２は「概ね、高さ=２．０メートル×正面幅＝３．０メートル×奥行＝２．０メートル」のサイズ諸元にして、ポンプ本体１０の吐出量は約毎分６５０リットル・ソーラーパネル８は１２ワット×０．７５アンペアーのキャパシティーである。
【００２１】
そして、ポンプユニットケース４は全閉形態ではなく、前記の地下収納状態または上昇セット姿勢において操作盤５が操作可能にして、かつ、エンジン１１の給排気ができる窓部が設けてある。そして、図示しないが「夜間の消火装置１の存在を示すと共に、ポンプユニットケース４の昇降操作と消火ポンプの作動操作を可能にする照明燈」が付設されると共に、この消火装置１の上部には無用者の立ち入りを防止する安全柵２８が設けてある。なお図中の２４は昇降機構７と連動して自動開閉するポンプユニットケース４の蓋板である。
【００２２】
以上の消火装置１は、近隣建物等に火災が発生したとき、ポンプユニットケース４を前記の上昇セット姿勢にしたり、或は地下収納セット状態のままポンプ吐出孔２２に「ポンプユニットケース６の空所等に予め収納した噴射ノズル３０つき放水ホースＨを接続したり、或は予め接続セットした放水ホースＨによって」消火ポンプ本体１０を駆動させて貯水槽３の消火水を送出噴出させて初期消火・本格消火の消火作業を行う。
【００２３】
以上の実施例の消火装置１は前記の作用効果が存在する。そして、消火剤ユニットを付設しているので、より効果的な消火作業ができる。
【００２４】
なお、本発明の消火装置は前記実施例に限定されず、自然風力が得られる場所に設置するときは、前記構成要件の「自然力利用の発蓄電部」を自然風力によって風車回転させて発蓄電する公知の風力発電形態にしたり、前記のソーラー発電と風力発電の併設形態にすることがあり、さらに、昇降機構７は前記のＸリンク連鎖体機構に代えて他の機械的機構に変更したり、貯水槽３・ソーラーパネル８の容量・サイズをより大に設定する等の変化がある。
【００２５】
そして、電源が得やすい場所では消火ポンプを電動ポンプにしたり、昇降機構７を電動機構にして、操作性の一段の容易性と迅速性を図る形態に必要に応じて構成する。
【図面の簡単な説明】
【００２６】
【図１】本発明１実施例の消火装置を示し、（Ａ）はその構造説明の正面図、（Ｂ）はその昇降機構の構造説明図
【図２】図１実施例の消火装置の使用状態の説明図
【図３】図１実施例の消火装置の消火ポンプユニットを示し、（Ａ）はその正面図、（Ｂ）はその側面図
【符号の説明】
【００２７】
１  消火装置
２  収納ケース
３  貯水槽
４  ポンプユニットケース
５  操作盤
６  消火ポンプユニット
７  昇降機構
８  ソーラーパネル
９  昇降操作部
１０  消火ポンプ本体
１１  ガソリンエンジン
２１  ポンプ吸引口
２２  ポンプ吐出口
Ｈ  放水ホース
【図１】
2005278894.tif 000003
【図２】
2005278894.tif 000004
【図３】
2005278894.tif 000005